【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
発電した電力を搬送する電力線で互いに接続され、浄化水素を単一の改質器から一括して供給され、データを送受信することが可能な制御装置で受信した信号により発電量が制御される複数の燃料電池と、
該複数の燃料電池に係る制御装置とデータを送受信することが可能に接続された複数の演算装置と
を備えた発電量制御システムにおいて、
一の演算装置は、
他の演算装置から電力負荷に比して不足している不足電力量を取得する手段と、
前記複数の燃料電池に係る制御装置から発電量の余力を取得する手段と、
取得した不足電力量及び発電量の余力を記憶手段に記憶する手段と、
発電量の余力の供給先である電力需要者に係る演算装置を、不足電力量を取得した演算装置から選択する手段と、
不足電力量を補う一又は複数の燃料電池を、発電量の余力を取得した制御装置に係る燃料電池から選択する手段と、
選択した一又は複数の燃料電池に係る制御装置へ、選択した一又は複数の演算装置に係る電力需要者に対して供給する電力の発電量を指示する発電量指示信号を送信する手段と
を備えることを特徴とする発電量制御システム。
【請求項２】
電力需要者に係る複数の演算装置から取得した不足電力量の総計を算出する手段と、
算出した不足電力量の総計を補う発電量まで発電量を増加させる一又は複数の燃料電池を選択する手段と、
算出した不足電力量の総計を、選択した燃料電池の発電量の余力に応じて比例配分する手段と、
該手段で選択した一又は複数の燃料電池に係る制御装置へ、比例配分した不足電力量の総計を加算した発電量を指示する発電量指示信号を送信する手段と
を備えることを特徴とする請求項１記載の発電量制御システム。
【請求項３】
発電した電力を搬送する電力線で互いに接続され、浄化水素を単一の改質器から一括して供給され、データを送受信することが可能な制御装置で受信した信号により発電量が制御される複数の燃料電池と、
該複数の燃料電池に係る制御装置とデータを送受信することが可能に接続された複数の演算装置とを用いる発電量制御方法において、
一の演算装置は、
他の演算装置から電力負荷に比して不足している不足電力量を取得し、
前記複数の燃料電池に係る制御装置から発電量の余力を取得し、
取得した不足電力量及び発電量の余力を記憶手段に記憶し、
発電量の余力の供給先である電力需要者に係る演算装置を、不足電力量を取得した演算装置から選択し、
不足電力量を補う一又は複数の燃料電池を、発電量の余力を取得した制御装置に係る燃料電池から選択し、
選択した一又は複数の燃料電池に係る制御装置へ、選択した一又は複数の演算装置に係る電力需要者に対して供給する電力の発電量を指示する発電量指示信号を送信することを特徴とする発電量制御方法。
【請求項４】
電力需要者に係る複数の演算装置から取得した不足電力量の総計を算出し、
算出した不足電力量の総計を補う発電量まで発電量を増加させる一又は複数の燃料電池を選択し、
算出した不足電力量の総計を、選択した燃料電池の発電量の余力に応じて比例配分し、
選択した一又は複数の燃料電池に係る制御装置へ、比例配分した不足電力量の総計を加算した発電量を指示する発電量指示信号を送信することを特徴とする請求項３記載の発電量制御方法。
【請求項５】
発電した電力を搬送する電力線で互いに接続され、浄化水素を単一の改質器から一括して供給される複数の燃料電池の発電量を制御する制御装置と、データを送受信することが可能に接続された演算装置において、
外部から電力負荷に比して不足している不足電力量を取得する手段と、
前記複数の燃料電池に係る制御装置から発電量の余力を取得する手段と、
取得した不足電力量及び発電量の余力を記憶手段に記憶する手段と、
発電量の余力の供給先を、不足電力量の取得先から選択する手段と、
不足電力量を補う一又は複数の燃料電池を、記憶してある発電量の余力の取得先から選択する手段と、
選択した一又は複数の燃料電池に係る制御装置へ、選択した一又は複数の供給先に対して供給する電力の発電量を指示する発電量指示信号を送信する手段と
を備えることを特徴とする演算装置。
【請求項６】
外部から取得した不足電力量の総計を算出する手段と、
算出した不足電力量の総計を補う発電量まで発電量を増加させる一又は複数の燃料電池を選択する手段と、
算出した不足電力量の総計を、選択した燃料電池の発電量の余力に応じて比例配分する手段と、
該手段で選択した一又は複数の燃料電池に係る制御装置へ、比例配分した不足電力量の総計を加算した発電量を指示する発電量指示信号を送信する手段と
を備えることを特徴とする請求項５記載の演算装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
上記目的を達成するために第１発明に係る発電量制御システムは、発電した電力を搬送する電力線で互いに接続され、浄化水素を単一の改質器から一括して供給され、データを送受信することが可能な制御装置で受信した信号により発電量が制御される複数の燃料電池と、該複数の燃料電池に係る制御装置とデータを送受信することが可能に接続された複数の演算装置とを備えた発電量制御システムにおいて、一の演算装置は、他の演算装置から電力負荷に比して不足している不足電力量を取得する手段と、前記複数の燃料電池に係る制御装置から発電量の余力を取得する手段と、取得した不足電力量及び発電量の余力を記憶手段に記憶する手段と、発電量の余力の供給先である電力需要者に係る演算装置を、不足電力量を取得した演算装置から選択する手段と、不足電力量を補う一又は複数の燃料電池を、発電量の余力を取得した制御装置に係る燃料電池から選択する手段と、選択した一又は複数の燃料電池に係る制御装置へ、選択した一又は複数の演算装置に係る電力需要者に対して供給する電力の発電量を指示する発電量指示信号を送信する手段とを備えることを特徴とする。
【手続補正６】
【補正対象書類名】明細書
【補正対象項目名】００１３
【補正方法】変更
【補正の内容】
【００１３】
また、第２発明に係る発電量制御システムは、第１発明において、電力需要者に係る複数の演算装置から取得した不足電力量の総計を算出する手段と、算出した不足電力量の総計を補う発電量まで発電量を増加させる一又は複数の燃料電池を選択する手段と、算出した不足電力量の総計を、選択した燃料電池の発電量の余力に応じて比例配分する手段と、該手段で選択した一又は複数の燃料電池に係る制御装置へ、比例配分した不足電力量の総計を加算した発電量を指示する発電量指示信号を送信する手段とを備えることを特徴とする。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
また、第３発明に係る発電量制御方法は、発電した電力を搬送する電力線で互いに接続され、浄化水素を単一の改質器から一括して供給され、データを送受信することが可能な制御装置で受信した信号により発電量が制御される複数の燃料電池と、該複数の燃料電池に係る制御装置とデータを送受信することが可能に接続された複数の演算装置とを用いる発電量制御方法において、一の演算装置は、他の演算装置から電力負荷に比して不足している不足電力量を取得し、前記複数の燃料電池に係る制御装置から発電量の余力を取得し、取得した不足電力量及び発電量の余力を記憶手段に記憶し、発電量の余力の供給先である電力需要者に係る演算装置を、不足電力量を取得した演算装置から選択し、不足電力量を補う一又は複数の燃料電池を、発電量の余力を取得した制御装置に係る燃料電池から選択し、選択した一又は複数の燃料電池に係る制御装置へ、選択した一又は複数の演算装置に係る電力需要者に対して供給する電力の発電量を指示する発電量指示信号を送信することを特徴とする。
【手続補正１１】
【補正対象書類名】明細書
【補正対象項目名】００１８
【補正方法】変更
【補正の内容】
【００１８】
また、第４発明に係る発電量制御方法は、第３発明において、電力需要者に係る複数の演算装置から取得した不足電力量の総計を算出し、算出した不足電力量の総計を補う発電量まで発電量を増加させる一又は複数の燃料電池を選択し、算出した不足電力量の総計を、選択した燃料電池の発電量の余力に応じて比例配分し、選択した一又は複数の燃料電池に係る制御装置へ、比例配分した不足電力量の総計を加算した発電量を指示する発電量指示信号を送信することを特徴とする。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
また、第５発明に係る演算装置は、発電した電力を搬送する電力線で互いに接続され、浄化水素を単一の改質器から一括して供給される複数の燃料電池の発電量を制御する制御装置と、データを送受信することが可能に接続された演算装置において、外部から電力負荷に比して不足している不足電力量を取得する手段と、前記複数の燃料電池に係る制御装置から発電量の余力を取得する手段と、取得した不足電力量及び発電量の余力を記憶手段に記憶する手段と、発電量の余力の供給先を、不足電力量の取得先から選択する手段と、不足電力量を補う一又は複数の燃料電池を、記憶してある発電量の余力の取得先から選択する手段と、選択した一又は複数の燃料電池に係る制御装置へ、選択した一又は複数の供給先に対して供給する電力の発電量を指示する発電量指示信号を送信する手段とを備えることを特徴とする。
【手続補正１６】
【補正対象書類名】明細書
【補正対象項目名】００２３
【補正方法】変更
【補正の内容】
【００２３】
また、第６発明に係る演算装置は、第５発明において、外部から取得した不足電力量の総計を算出する手段と、算出した不足電力量の総計を補う発電量まで発電量を増加させる一又は複数の燃料電池を選択する手段と、算出した不足電力量の総計を、選択した燃料電池の発電量の余力に応じて比例配分する手段と、該手段で選択した一又は複数の燃料電池に係る制御装置へ、比例配分した不足電力量の総計を加算した発電量を指示する発電量指示信号を送信する手段とを備えることを特徴とする。
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
第１発明、第３発明、及び第５発明では、複数の燃料電池に係る制御装置とデータを送受信することが可能に接続された一の演算装置が、他の演算装置から電力負荷に比して不足している不足電力量を取得し、複数の燃料電池に係る制御装置から発電量の余力を取得し、取得した不足電力量及び発電量の余力を記憶手段に記憶する。そして、発電量の余力の供給先である電力需要者に係る演算装置を、不足電力量を取得した演算装置から選択し、不足電力量を補う一又は複数の燃料電池を、発電量の余力を取得した制御装置に係る燃料電池から取得し、選択した一又は複数の燃料電池に係る制御装置へ、選択した一又は複数の演算装置に係る電力需要者に対して供給する電力の発電量を指示する発電量指示信号を送信し、発電量の余力により不足している電力を補う。これにより、電力需要者に係る電力負荷が不足していることを検知した場合、その時点で発電量の余力を有している燃料電池から不足電力を補うことができ、適応制御を行うことにより燃料電池の過稼動又は電力不足の発生を未然に防止することが可能となる。
【手続補正２１】
【補正対象書類名】明細書
【補正対象項目名】００２８
【補正方法】変更
【補正の内容】
【００２８】
第２発明、第４発明、及び第６発明では、電力需要者に係る複数の演算装置から取得した不足電力量の総計を算出し、算出した不足電力量の総計を補う発電量まで発電量を増加させる一又は複数の燃料電池を選択し、算出した不足電力量の総計を、選択した燃料電池の発電量の余力に応じて比例配分し、選択した一又は複数の燃料電池に係る制御装置へ、比例配分した不足電力量の総計を加算した発電量を指示する発電量指示信号を送信する。これにより、電力需要者に係る電力負荷が不足したことを検知した場合、発電量の余力が大きい燃料電池ほどより多くの電力を供給することで、発電負荷が過剰になることなく不足電力量を補うことができ、フィードバック制御により発電システム全体の電力不足の発生を未然に防止することが可能となる。
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】変更
【補正の内容】
【００３２】
第１発明、第３発明、及び第５発明によれば、電力需要者に係る電力負荷が不足したことを検知した場合、その時点で発電量の余力を有している燃料電池から不足電力を補うことができ、適応制御を行うことにより燃料電池の過稼動又は電力不足の発生を未然に防止することが可能となる。
【手続補正２６】
【補正対象書類名】明細書
【補正対象項目名】００３３
【補正方法】変更
【補正の内容】
【００３３】
第２発明、第４発明、及び第６発明によれば、電力需要者に係る電力負荷が不足したことを検知した場合、不足電力量を、発電量の余力が大きい燃料電池ほどより多くの電力を供給することで、発電負荷が過剰になることなく補うことができ、フィードバック制御により発電システム全体の電力不足の発生を未然に防止することが可能となる。